(57)【要約】【課題】  携帯電話機などの携帯端末において、複数の操作キーの数を増加させずに、携帯端末の機能を拡張する。【解決手段】  開閉可能な開閉部分を有する携帯端末において、開閉部分の開閉を検知する開閉検知部を設け、開閉部分の開閉回数をカウントする。携帯端末には複数の操作キーが配置され、そのそれぞれに携帯端末の設定機能が対応付けされるが、開閉部分の所定開閉回数Ｎに、これらの設定機能と別の付加機能を対応付けることにより、携帯端末の機能の拡張を図る。この付加機能に合わせ、特定キーに対応付けされた特定機能を変更することで、より多くの機能を実行できる。また、開閉部分の所定開閉回数Ｍにも、さらに別の付加機能を対応付けし、さらの機能の拡張を図る。【選択図】  図３
2005045517.tif 000002
【特許請求の範囲】
【請求項１】
開閉可能な開閉部分を有する筐体、この筐体に配置されそれぞれ携帯端末の設定機能に対応付けされた複数の操作キー、および前記開閉部分の開閉回数を検出する開閉回数検出手段を備え、前記開閉部分の所定開閉回数を前記複数の操作キーに対応する各設定機能と別の付加機能に対応付けしたことを特徴とする携帯端末。
【請求項２】
請求項１記載の携帯端末であって、前記筐体が第１の筐体部と、この第１の筐体部に対して開閉開閉可能な第２の筐体部とを有し、この第２の筐体部が前記開閉部分を構成し、前記第１の筐体部に対する前記第２の筐体部の開閉回数が前記開閉回数検出手段によって検出されることを特徴とする携帯端末。
【請求項３】
請求項１記載の携帯端末であって、前記筐体が筐体部と、この筐体部に対して開閉可能なフリップとを有し、このフリップが前記開閉部分を構成し、前記筐体部に対する前記フリップの開閉回数が前記開閉回数検出手段によって検出されることを特徴とする携帯端末。
【請求項４】
請求項１記載の携帯端末であって、さらに前記付加機能を変更する変更手段を有することを特徴とする携帯端末。
【請求項５】
請求項４記載の携帯端末であって、さらに前記付加機能の変更動作をオン、オフできるようにしたことを特徴とする携帯端末。
【請求項６】
請求項１記載の携帯端末であって、前記筐体が表示部を有し、前記付加機能に対応して特定ソフトキーを前記表示部に表示することを特徴とする携帯端末。
【請求項７】
請求項１記載の携帯端末であって、前記筐体が表示部を有し、前記付加機能に対応して特定表示画面を前記表示部に表示することを特徴とする携帯端末。
【請求項８】
開閉可能な開閉部分を有する筐体、この筐体に配置された複数のキー、および前記開閉部分の開閉を検知する開閉検知部を備え、前記複数の操作キーのうちの特定キーに携帯端末の特定機能を対応付けするとともに、前記開閉部分の所定の開閉回数に前記複数の操作キーに対応付けされた機能および前記特定キーに対応する特定機能と別の付加機能を対応付けしたことを特徴とする携帯端末。
【請求項９】
請求項８記載の携帯端末であって、さらに前記特定機能と付加機能の少なくとも一方を変更する変更手段を設けたことを特徴とする携帯端末。
【請求項１０】
請求項８記載の携帯端末であって、さらに前記特定機能と付加機能の変更動作をオン、オフできるようにしたことを特徴とする携帯電話端末。
【請求項１１】
開閉可能な開閉部分を有する筐体、この筐体に配置されそれぞれ携帯端末の設定機能に対応付けされた複数の操作キー、及び前記開閉部分の開閉回数を検出する開閉回数検出手段を備え、前記開閉部分の所定開閉回数Ｎを前記複数の操作キーに対応する各設定機能と別の第１の付加機能に対応付けし、また前記開閉部分の所定開閉回数Ｍ（ＭはＮと異なる整数）を前記複数の操作キーに対応する各設定機能と別の第２の付加機能に対応付けたことを特徴とする携帯端末。
【請求項１２】
請求項１１記載の携帯端末であって、さらに前記第１の付加機能と第２の付加機能の少なくとも一方を変更する変更手段を有することを特徴とする携帯端末。
【請求項１３】
請求項１２記載の携帯端末であって、さらに前記第１の付加機能と第２の付加機能の少なくとも一方の変更動作をオン、オフできるようにしたことを特徴とする携帯端末。
【発明の詳細な説明】
【技術分野】
【０００１】
この発明は、携帯電話機などの携帯端末、とくに開閉可能な筐体を有する携帯端末に関するものである。
【背景技術】
【０００２】
例えば、特開２００１−３０９０１４号公報には、キー操作部に配置された複数の操作キーのうちキー操作に用いられたキーを認識する認識手段と、認識したキーに割り当てられたキー機能を照合する照合手段と、照合したキー機能を、携帯端末が有する複数のキー機能から任意に選択されたキー機能に変更する変更手段と、変更後のキー機能を示す情報を格納するデータメモリとを備えた携帯端末が開示されている。この携帯端末は、使い勝手を向上させること、オリジナリティを増すこと、および秘匿性を増すことが可能な携帯端末として、提案されている。
【０００３】
【特許文献１】特開２００１−３０９０１４号公報
【０００４】
この先行技術に開示された携帯端末によれば、複数の各キーに対する機能を任意に割り当て直すことができる。
【発明の開示】
【発明が解決しようとする課題】
【０００５】
しかし、この先行技術に示された携帯端末では、操作キーの数以上に機能を拡張することはできず、機能を拡張するには、操作キーの数を増加する必要がある。しかし操作キーの実装面積には、携帯端末の外形寸法上の制約があるので、操作キーの数の増加しようとすれば、個々の操作キーの面積を小さくする必要が生じ、操作キーの操作性が悪くなる。また逆に、操作キーの数を増加する場合に、操作キーの操作性を維持するには、各操作キーを総合した全体の面積が大きくなり、携帯端末の外形寸法が大きくなる不都合がある。さらに、各操作キーに照明を付加する場合には、操作キーの数の増加に伴ない、照明のための電力消費も増大する不都合もある。
【０００６】
この発明は、このような不都合を伴なうことなく、複数の操作キーに割り振られた機能をさらに拡張することのできる改良された携帯端末を提案するものである。
【課題を解決するための手段】
【０００７】
この発明による携帯端末は、開閉可能な開閉部分を有する筐体、この筐体に配置されそれぞれ携帯端末の設定機能に対応付けされた複数の操作キーおよび前記開閉部分の開閉回数を検出する開閉回数検出手段を備え、前記開閉部分の所定開閉回数を前記複数の操作キーに対応する各設定機能と別の付加機能に対応付けしたことを特徴とする。
【０００８】
また、この発明による別の携帯端末は、開閉可能な開閉部分を有する筐体、この筐体に配置された複数の操作キーおよび前記開閉部分の開閉を検知する開閉検知部を備え、前記複数の操作キーのうちの特定キーに携帯端末の特定機能を対応付けするとともに、前記開閉部分の所定の開閉回数に前記複数の操作キーに対応付けされた機能と別の付加機能を対応付けしたことを特徴とする。
【０００９】
またこの発明によるさらに別の携帯端末は、開閉可能な開閉部分を有する筐体、この筐体に配置されそれぞれ携帯端末の設定機能に対応付けされた複数の操作キーおよび前記開閉部分の開閉回数を検出する開閉回数検出手段を備え、前記開閉部分の所定開閉回数Ｎを前記複数の操作キーに対応する各設定機能と別の第１の付加機能に対応付けし、また前記開閉部分の所定開閉回数Ｍ（ＭはＮと異なる整数）を前記複数の操作キーに対応する各設定機能と別の第２の付加機能に対応付けたことを特徴とする。
【発明の効果】
【００１０】
この発明による携帯端末では、筐体の開閉部分の所定開閉回数を、携帯端末の付加機能に対応付けしたので、複数の操作キーによる設定機能に加え、開閉部分を所定開閉回数だけ開閉することに基づき、別の付加機能を実行することができ、操作キーの数を増加させずに、携帯端末機能の拡張が可能となる。
【００１１】
この発明による別の携帯端末では、筐体の開閉部分の所定開閉回数を、携帯端末の付加機能に対応付けしたので、複数の操作キーによる設定機能と、この複数の操作キーのうちの特定キーに対応付けされた特定機能に加え、開閉部分を所定開閉回数だけ開閉することに基づき、別の付加機能を実行することができ、操作キーの数を増加させずに、携帯端末機能の拡張が可能となる。
【００１２】
この発明によるさらに別の携帯端末では、筐体の開閉部分の所定開閉回数Ｎを、第１の付加機能と対応付けし、また開閉部分の所定開閉回数Ｍを、第２の付加機能と対応付けしたので、複数の操作キーによる設定機能に加え、開閉部分を所定開閉回数ＮおよびＭだけ開閉することに基づき、別の第１、第２の付加機能を実行することができ、操作キーの数を増加させずに、携帯端末機能の拡張が可能となる。
【発明を実施するための最良の形態】
【００１３】
以下、この発明による携帯端末のいくつかの実施の形態について、図面を参照しながら説明する。
【００１４】
実施の形態１．
図１はこの発明による携帯端末の実施の形態１の開放状態を示す正面図、図２はその開閉状態を示す側面図、図３は実施の形態１の電気回路構成を示すブロック図、図４はこの実施の形態１の機能選定操作のフローチャートである。
【００１５】
この実施の形態１の携帯端末は携帯電話機１００であり、この携帯電話機１００は図１に示すように二つ折れと呼ばれるタイプの筐体１０を有する。この筐体１０は第１の筐体部１１と第２の筐体部１２を含む。第１の筐体部１１は薄い箱型に構成され、上端部１１ａと下端部１１ｂを有する。第２の筐体部１２も薄い箱型に構成され、上端部１２ａと下端部１２ｂを有する。
【００１６】
第１の筐体部１１はその内面１１ｃに複数個、具体的には１７個の操作キー１３を有する。第２の筐体部１２は、その内面１２ｃに、液晶表示板などの表示画面１４を有する。
第２の筐体部１２の下端部１２ｂは、第１の筐体部１１の上端部１１ａに、互いに回動可能に結合されており、第２の筐体部１２は第１の筐体部１１に対して開閉可能に構成されている。図１は、第２の筐体部１２が第１の筐体部１１から開放された開放状態を示している。また、図２は第１の筐体部１１と第２の筐体部１２との開閉状態を示し、図２（ａ）はそれらの閉合状態を、また図２（ｂ）はそれらの開放状態を示す。図２（ｂ）の矢印ａは筐体１０を閉合状態とするための筐体部１２の回動方向を示し、矢印ｂは筐体１０を開放状態とするための筐体部１２の回動方向を示す。
【００１７】
筐体部１１、１２の閉合状態では、図２（ａ）に示すように、それらの内面１１ｃ、１２ｃが互いに対向または接合する状態とされ、複数の操作キー１３が第２の筐体部１２によって覆われる。筐体部１１、１２の開放状態では、図１、図２（ｂ）に示すように、第２の筐体部１２は複数の操作キー１３を開放し、複数の操作キー１３が個々に操作、すなわち押圧可能な状態となる。
【００１８】
複数の操作キー１３のそれぞれには、携帯電話機１００に必要な設定機能が設定される。各操作キー１３は、個々に操作、すなわち押圧可能に構成され、それぞれが対応するキースイッチをオン、オフするように構成される。これらのキースイッチはすべて常時はオフしていて、対応する操作キー１３が操作、すなわち押圧されたときにオンとなり、それぞれに対応して設定された設定機能が実行される。
この複数の操作キー１３の中の１つの特定キー１３ａには、特定機能ＳＦが設定されるが、この特定機能ＳＦは特定キー１３ａ以外の操作キー１３に対応して設定された設定機能以外に、携帯電話機１００に必要とされる機能とされ、これは予め設定された複数の機能ＳＦ１、ＳＦ２、・・・、ＳＦｎの中から選定することができる。
【００１９】
実施の形態１の携帯電話機１００は、図３に示すように、入力部２１、表示部２２、送受信部２３、アンテナ２４、音声部２５、マイクロフォン２６、スピーカ２７、振動部２８、プログラムメモリ部３１、データメモリ部３２、外部機器・外部メモリ３３を有し、加えて開閉検知部３５と、制御部４０を有する。
【００２０】
入力部２１は複数の操作キー１３を含み、表示部２２は表示画面１４を含む。アンテナ２４は送受信部２３に接続され、他の携帯電話機またはシステムとの間で、無線通信を行なう。このシステムには、インターネットシステム、メールシステムなどが含まれる。マイクロフォン２６、スピーカ２７は、音声部２５に接続される。マイクロフォン２７は送話音を電気信号に変換し、またスピーカ２７は電気信号を音声に変換し、音声を発する。振動部２８は携帯電話機１００の全体を振動させる振動モードを携帯電話機１００に与える。
【００２１】
プログラムメモリ部３１は、携帯電話機１００の制御に使用するプログラムを記憶する。データメモリ部３２は、携帯電話機１００に使用される各種データを記憶する。複数の操作キー１３のそれぞれに対応する設定機能は、このデータメモリ部３２に記憶される。開閉検知部３５は、筐体部１１、１２の開閉を検知するもので、この開閉検知部３５には、例えば筐体部１１、１２の開閉に伴なってオン、オフするスイッチが使用される。
【００２２】
制御部４０は、入力部２１、表示部２２、送受信部２３、音声部２５、振動部２８、プログラムメモリ部３１、データメモリ部３２、外部機器・外部メモリ３３および開閉検知部３５のそれぞれに接続され、それらの制御を行なう。この制御部４０は、携帯電話機１００に必要な機能を設定、変更するために、認識手段４１、照合手段４２、変更手段４３および開閉回数カウント手段４４を含んでいる。
【００２３】
認識手段４１は、特定キー１３ａを含む複数のそれぞれの操作キー１３のいずれが操作、すなわち押圧されているかを認識する手段であり、併せて開閉回数カウント手段４４による筐体部１１、１２の開閉回数が、所定回数Ｎ（Ｎは整数）に達したことを認識する。
この開閉回数カウント手段４４による具体的な開閉回数のカウント方法としては、開閉回数カウント手段４４による開閉回数が順次増加するとき、それぞれの開閉回数がカウントされた時点から、例えば５００ミリ秒程度の設定時間の間に次の開閉がカウントされなければカウントを終了し、このカウント終了時点における開閉カウントを開閉回数カウント手段４４にカウント回数とする方法を採用する。このカウント回数が所定回数Ｎになっている場合に、その所定開閉回数Ｎが認識手段４１により、認識される。しかし、このカウント方法に限らず、例えば、開閉回数カウント手段４４による開閉カウント回数を表示部２２の特定に表示区域に表示し、この表示されたカウント回数が所定回数、例えばＮに達したときに、携帯端末のユーザが、複数のキー１３と中の特定のキーを押下げることにより、所定開閉回数Ｎを検知するようにすることもできる。
【００２４】
照合手段４２は複数の操作キー１３のそれぞれに対応する設定機能を照合するものであり、また開閉回数カウント手段４４による所定カウント回数Ｎに対応する付加機能ＡＦをも照合する。なお、この付加機能ＡＦは、複数の各操作キー１３に対応して設定された設定機能以外の携帯電話機１００の機能である。
変更手段４３は、照合手段４２によって照合された設定機能の中、特に特定キー１３ａに割り当てられた特定機能ＳＦと、開閉回数カウント手段４４による所定カウント回数Ｎに割り当てられた所定機能ＡＦとを変更する。
【００２５】
この特定機能ＳＦについては、初期設定時に、照合手段４２によってこの特定キー１３ａに対応するグループに含まれる複数の機能ＳＦ１、ＳＦ２、・・・、ＳＦｎが表示部２２に表示され、これらの複数の機能ＳＦ１、ＳＦ２、・・・、ＳＦｎの中から１つの機能を特定機能ＳＦとして、変更手段４３により設定し直すことによって、特定機能ＳＦの変更が行なわれる。この特定機能ＳＦのグループに含まれる複数の特定機能ＳＦ１、ＳＦ２、・・・、ＳＦｎは、特定キー１３ａを除く他のすべての操作キー１３に対応する複数の設定機能とは別の機能とされる。
付加機能ＡＦについても同様にして、変更手段４３によって付加機能ＡＦの変更が行なわれる。すなわち、付加機能ＡＦについては、初期設定時に、照合手段４２によってこの所定カウント回数Ｎに対応するグループに含まれる複数の機能ＡＦ１、ＡＦ２、・・・、ＡＦｎが表示部２２に表示され、これらの複数の機能ＡＦ１、ＡＦ２、・・・、ＡＦｎの中から１つの機能を付加機能ＡＦとして、変更手段４３により設定し直すことによって、付加機能ＡＦの変更が行なわれる。この付加機能ＡＦのグループに含まれる機能ＡＦ１、ＡＦ２、・・・、ＡＦｎは、複数の操作キー１３のそれぞれに対応する複数の設定機能、および特定キー１３ａに対応する特定機能ＣＦ１、ＣＦ２、ＣＦｎとは別の機能とされる。
【００２６】
携帯電話機１００は、複数の操作キー１３のうちの電源オン、オフ機能を行なう１つの操作キーを押圧することによって、動作可能状態とされる。この動作可能状態において、開閉回数カウント手段４４は、筐体部１１、１２の開閉回数を開閉検知部３５の動作に基づきカウントする。具体的には、図２（ａ）に示す閉合状態から、図２（ｂ）に示す開放状態に移行することによって、例えば開閉検知部３５がオンとなり、第１回の開閉動作がカウントされる。その後、図２（ｂ）に示す開放状態から一旦図２（ａ）に示す閉合状態に戻した状態で開閉検知部３５はオフに復帰し、その後再び図２（ｂ）に示す開放状態にすることによって、第２回の開閉動作がカウントされる。同様に開閉操作を繰り返すことにより、図２（ｂ）に示す開放状態とされる度に、順次開閉動作のカウントが増加される。その開閉カウント回数が所定値Ｎに達したことが、認識手段４１により認識される。
【００２７】
図４は制御部４０により携帯電話機１００に機能の設定と変更を行なうフローチャートである。このフローチャートは、初期設定を行なうステップＳ１と、初期設定を終了するステップＳ２と、機能呼出を開始するステップＳ３と、機能呼出を終了するステップＳ４とを含む。ステップＳ１、Ｓ２の間には、４つのステップＳ１１、Ｓ１２、Ｓ１３、Ｓ１４を含む。またステップＳ３、Ｓ４の間には、ステップＳ３２、Ｓ３２、Ｓ３３、Ｓ３４、Ｓ３５の５つのステップが含まれる。
【００２８】
ステップＳ１１では、まず、特定キー１３ａに対して割り当てられた特定機能ＳＦを変更する動作がオン、オフのどちらでとなっているかがチェックされる。これは具体的には、表示部２２の画面上の一部に特定キー１３ａに対応する特定機能ＳＦの画像を表示するようにし、この画像をクリックすれば、特定機能ＳＦの変更動作がオンとされ、またそれがクリックされないと、その変更動作がオフとされる。特定機能ＳＦの変更動作がオフ（ＯＦＦ）ならば、ステップＳ１２をスキップしてステップＳ１３へ進む。特定機能ＳＦの変更動作がオン（ＯＮ）ならば、ステップＳ１２へ進む。このステップＳ１２では、照合手段４２によりその特定キー１３ａに対応する複数の機能ＳＦ１、ＳＦ２、・・・、ＳＦｎが表示部２２に表示され、変更手段４３によりこの複数の機能ＳＦ１、ＳＦ２、・・・、ＳＦｎのうちの任意の１つの機能が特定機能ＳＦとして設定し直しされる。
【００２９】
ステップＳ１３では、開閉回数カウント手段４４の所定カウント回数Ｎに対して割り当てられた付加機能ＡＦを変更する動作がオン、オフのいずれとなっているかがチェックされる。具体的には、表示部２２の画面上の一部に、筐体部１１、１２の開閉回数Ｎに対応する付加機能ＡＦの画像を表示するようにし、この画像をクリックすれば、特定機能ＡＦの変更動作がオンとされ、またそれがクリックされないと、その変更の動作がオフとされる。付加機能ＡＦの変更動作がオフ（ＯＦＦ）ならば、ステップＳ１４をスキップしてステップＳ２に至り、初期設定が終了とされる。付加機能ＡＦの変更動作がオン（ＯＮ）ならば、ステップＳ１４へ進む。このステップＳ１４では、照合手段４２により開閉回数カウント手段４４の開閉カウント回数Ｎに対応する複数の機能ＡＦ１、ＡＦ２、・・・、ＡＦｎが表示部２２に表示され、変更手段４３によりこの複数の機能ＡＦ１、ＡＦ２、・・・、ＡＦｎの中の任意の１つの機能が付加機能ＡＦとして設定し直しされる。
【００３０】
ステップＳ３に続くステップＳ３１では、開閉回数カウント手段４４に対する開閉カウント回数のチェックが実行される。このチェック結果がＮ以外であれば、ステップＳ３２に至り、表示部２２に通常の待ち受け画面が表示される。この通常の待ち受け画面が表示された状態で、ステップＳ３３において、複数の操作キー１３のいずれかが操作されると、その操作された操作キー１３に対応する設定機能がステップＳ３４において呼出される。ステップＳ３３において、特定キー１３ａが操作されると、それに対応して設定された特定機能ＳＦが選択され、ステップＳ４に至り、機能呼出終了となる。
ステップＳ３１におけるチェック結果が設定値Ｎであれば、ステップＳ３５に進む。このステップＳ３５では、筐体部１１、１２の開閉カウント回数Ｎに割り当てられた付加機能ＡＦが呼出される。
【００３１】
以上のように実施の形態１では、開閉可能な開閉部分１２を有する筐体１０、この筐体１０に配置されそれぞれ携帯端末の設定機能に対応付けされた複数の操作キー１３、および開閉部分１２の開閉を検出する開閉検知部３５を備え、開閉部分１２の所定開閉回数Ｎを複数の操作キー１３に対応する各設定機能と別の付加機能ＡＦに対応付けしたので、複数の操作キー１３の数を増加せずに、携帯電話機１００の機能を拡張できる。
また、実施の形態１では、第１の筐体部１１に対して開閉可能な第２の筐体部１２が開閉部分１２を構成するので、二つ折れタイプと呼ばれる携帯電話機１００において、複数の操作キー１３の数を増加せずに、携帯電話機１００の機能を拡張できる。
【００３２】
また、実施の形態１では、開閉部分１２の開閉回数Ｎに対応する付加機能ＡＦを変更できるようにしたので、拡張した機能をさらに変更し、より多くの機能の設定ができる。
また、実施の形態１では、開閉部分１２の開閉回数Ｎに対応する付加機能ＡＦの変更をオン、オフできるようにしたので、開閉回数Ｎに対応する付加機能を必要に応じて変更できる。
【００３３】
また実施の形態１は、開閉可能な開閉部分１２を有する筐体１０、この筐体１０に配置された複数の操作キー１３、および開閉部分１２の開閉を検知する開閉検知部３５を備え、前記複数の操作キー１３のうちの特定キー１３ａに携帯端末の特定機能ＳＦを対応付けするとともに、開閉部分１２の所定開閉回数Ｎに、前記複数の操作キー１３に対応付けされた機能と別の付加機能ＡＦに対応付けしたので、操作キー１３の数を増加させずに、携帯端末の機能の拡張を図ることができる。
【００３４】
また、実施の形態１では、特定機能ＳＦと付加機能ＡＦの少なくとも一方を変更する変更手段４３を設けたので、これらの機能の少なくとも一方を変更し、機能の拡張を図ることができる。
また、実施の形態１では、特定機能ＳＦと付加機能ＡＦの変更の動作をオン、オフするようにしたので、必要に応じてそれらの機能を変更できる。
【００３５】
実施の形態２．
実施の形態１は、筐体１０が２つの筐体部１１、１２を有し、筐体部１２が筐体部１１に対して開閉可能な、二つ折れと呼ばれる携帯電話機１００であるが、この実施の形態２は開閉の不可能な１つの筐体１０に複数のキー１３と、表示画面１４を配置した携帯電話機において、その筐体１０に、複数のキー１３の少なくともいくつかを覆うような板状のフリップ（蓋板）を開閉可能に配置したフリップ形式の携帯電話機である。この実施の形態２でも、筐体に対するフリップの開閉を検出するように、実施例１と同様な開閉検知部３５を設け、また制御部４０にフリップの開閉回数をカウントするカウント手段４４を設けることにより、フリップ式携帯電話機において、複数の操作キー１３の数を増加させずに、機能の拡張を行なうことができる。
【００３６】
この実施の形態２では、開閉可能なフリップを有する筐体が使用され、この筐体には、図１に示す複数の操作キー１３と、表示画面１４が設置される。実施の形態２の電気回路構成は図３と同じ回路構成が採用される。
【００３７】
実施の形態３．
実施の形態１は開閉カウント回数Ｎに付加機能ＡＦを対応付けしているが、この実施の形態３は、開閉カウント回数Ｎに第１の付加機能ＡＦＡを対応付けするとともに、開閉カウント回数Ｍ（ＭはＮと異なる整数）に特定のソフトキーと第２の付加機能ＡＦＢを対応付けし、また開閉カウント回数Ｌ（ＬはＭ、Ｎと異なる整数）に特定画像表示機能ＳＤを対応させたものである。認識手段４１は、開閉回数カウント手段４４が所定回数Ｎに達したことを検出して、第１の付加機能ＡＦ１を実行させ、またそれが所定回数Ｍに達したことを検出して、特定のソフトキーを表示し、第２の付加機能ＡＦ２を実行させ、さらにそれが所定回数Ｌに達したことを検出して、特定画像表示機能ＳＤを実行させる。
なお、この実施の形態３では、図１、図２に示す携帯電話機１００の筐体１０がそのまま使用され、また図３に示す電気回路構成もそのまま使用される。
【００３８】
開閉回数カウント手段４４も実施の形態１と同様の方法で、筐体１１、１２の開閉回数をカウントする。具体的には、開閉回数カウント手段４４による開閉回数が順次増加するとき、それぞれの開閉回数がカウントされた時点から、例えば５００ミリ秒程度の設定時間の間に次の開閉がカウントされなければカウントを終了し、このカウント終了時点における開閉カウントを開閉回数カウント手段４４にカウント回数とする方法が採用される。このカウント終了時点のカウント回数が所定回数Ｎ、Ｍ、Ｌになっている場合に、認識手段４１がそれらを認識する。または開閉回数カウント手段４４による開閉カウント回数を表示部２２の特定に表示区域に表示し、この表示されたカウント回数が所定回数、例えば、Ｎ、Ｍ、Ｌに達したときに、携帯端末のユーザが、複数のキー１３と中の開閉回数Ｎ、Ｍ、Ｌのそれぞれに対応付けされたキーを押下げることにより、所定開閉回数Ｎ、Ｍ、Ｌを検知するようにすることもできる。
【００３９】
所定回数Ｎに対応する第１の付加機能ＡＦＡは、この第１の付加機能ＡＦＡのグループに含まれる複数の付加機能ＡＦＡ１、ＡＦＡ２、・・・、ＡＦＡｎの中から選択することができる。これらの付加機能ＡＦＡ１、ＡＦＡ２、・・・、ＡＦＡｎは、複数の操作キー１３に対応する複数の設定機能以外の機能であり、また特定キー１３ａに対応する複数の特定機能ＳＦのグループに含まれる特定機能ＳＦ１、ＳＦ２、・・・、ＳＦｎ以外の機能である。
所定回数Ｍに対応する第２の付加機能ＡＦＢは、この第２の付加機能ＡＦＢのグループに含まれる複数の付加機能ＡＦＢ１、ＡＦＢ２、・・・、ＡＦＢｎの中から選択することができる。これらの付加機能ＡＦＢ１、ＡＦＢ２、・・・、ＡＦＢｎは、複数の操作キー１３に対応する複数の設定機能、特定キー１３ａに対応する複数の特定機能ＳＦのグループに含まれる特定機能ＳＦ１、ＳＦ２、・・・、ＳＦｎ、および第１の付加機能ＡＦＡのグループに含まれる付加機能ＡＦＡ１、ＡＦＡ２、・・・、ＡＦＡｎにはない、それら以外の機能とされる。
【００４０】
照合手段４２と変更手段４３は、初期設定時に動作するが、実施の形態３では照合手段４２は第１の付加機能ＡＦＡの変更動作がオンされているときに、この第１の付加機能ＡＦＡに対応する複数の機能ＡＦＡ１、ＡＦＡ２、・・・、ＡＦＡｎを表示部２２に表示させ、また特定のソフトキーが表示されている状態で、その変更動作がオンされているときに、第２の付加機能ＡＦＢに対応する複数のソフトキーＡＦＢ１、ＡＦＢ２、・・・、ＡＦＢｎを表示させる。さらに照合手段４２は、特定画像表示機能ＳＤを表示部２２に表示させる。
変更手段４３は、第１の付加機能ＡＦＡに対応する複数の機能ＡＦＡ１、ＡＦＡ２、・・・、ＡＦＡｎが表示部２２に表示されているときに、その中の１つの機能を選択して、第１の付加機能ＡＦＡを変更し、また第２の付加機能ＡＦＢに対する複数のソフトキーＡＦＢ１、ＡＦＢ２、・・・、ＡＦＢｎが表示されているときに、その中の１つの機能を選択して、第２の付加機能ＡＦＡを変更する。
【００４１】
図５は実施の形態３により携帯電話機１００に対する機能を設定、変更するフローチャートである。このフローチャートは、初期設定のステップＳ１と、初期設定終了のステップＳ２との間に、８つのステップＳ２１からＳ２８を含んでいる。また、機能呼出開始のステップＳ３と機能呼出終了のステップＳ４との間に，５つのステップＳ４１からＳ４５を含んでいる。
【００４２】
ステップＳ２１からＳ２４は、図４に示すステップＳ１１からＳ１４と類似している。ステップＳ２１では、まず、特定キー１３ａに対して割り当てられた特定機能ＳＦの変更動作がオン、オフのどちらでとなっているかがチェックされる。これは具体的には、表示部２２の画面上の一部に特定キー１３ａに対応する特定機能ＳＦの画像を表示するようにし、この画像をクリックすれば、特定機能ＳＦの変更動作がオンとされ、またそれがクリックされないと、その変更動作がオフとされる。特定機能ＳＦの変更動作がオフ（ＯＦＦ）ならば、ステップＳ２２をスキップしてステップＳ２３へ進む。特定機能ＳＦの変更動作がオン（ＯＮ）ならば、ステップＳ２２へ進む。このステップＳ２２では、照合手段４２によりその特定キー１３ａに対応する複数の機能ＳＦ１、ＳＦ２、・・・、ＳＦｎが表示部２２に表示され、変更手段４３によりこの複数の機能ＳＦ１、ＳＦ２、・・・、ＳＦｎのうちの任意の１つの機能が特定機能ＳＦとして設定し直しされる。
【００４３】
ステップＳ２３では、開閉回数カウント手段４４の所定カウント回数Ｎに対して割り当てられた付加機能ＡＦＡを変更する動作がオン、オフのいずれとなっているかがチェックされる。具体的には、表示部２２の画面上の一部に、筐体部１１、１２の開閉回数Ｎに対応する付加機能ＡＦＡの画像を表示するようにし、この画像をクリックすれば、特定機能ＡＦＡの変更動作がオンとされ、またそれがクリックされないと、その変更の動作がオフとされる。付加機能ＡＦＡの変更動作がオフ（ＯＦＦ）ならば、ステップＳ２４をスキップしてステップＳ２に至り、初期設定が終了とされる。付加機能ＡＦＡの変更動作がオン（ＯＮ）ならば、ステップＳ２４へ進む。このステップＳ２４では、照合手段４２により開閉回数カウント手段４４の開閉カウント回数Ｎに対応する複数の機能ＡＦＡ１、ＡＦＡ２、・・・、ＡＦＡｎが表示部２２に表示され、変更手段４３によりこの複数の機能ＡＦＡ１、ＡＦＡ２、・・・、ＡＦＡｎの中の任意の１つの機能が付加機能ＡＦとして設定し直しされる。
【００４４】
ステップＳ２５では、開閉カウント回数の所定値Ｍに対応して特定のソフトキーの割り当てを行なう動作がオン、オフのいずれになっているかどうかがチェックされる。この動作は、具体的には、開閉カウント回数の所定値Ｍに対応して特定のソフトキーの割り当て動作を示す画像を表示部２２の画面の一部に表示し、これをクリックするかどうかで決められる。その画像がクリックされなければその動作はオフとされ、ステップＳ２５におけるチェック結果はオフ（ＯＦＦ）となり、次のステップＳ２６をスキップして、ステップＳ２７に進む。ステップＳ２５におけるチェック結果がオン（ＯＮ）であれば、ステップＳ２６に進み、このステップＳ２６で開閉カウント回数の所定値Ｍに対応して任意のソフトキーが特定のソフトキーとして割り当てられる。
【００４５】
このステップＳ２６では、複数のソフトキーが表示部２２に表示され、その中の任意のソフトキーが特定のソフトキーとして選択される。この複数のソフトキーは、それぞれ携帯電話機１００における付加機能ＡＦＢ１、ＡＦＢ２、・・・、ＡＦＢｎに対応する。これらの付加機能ＡＦＢ１、ＡＦＢ２、・・・、ＡＦＢｎは付加機能ＡＦＢを構成するグループに含まれており、特定のソフトの選択に基づき、特定の付加機能ＡＦＢが割り当てられる。
【００４６】
次のステップＳ２７では、開閉カウント回数の所定値Ｌに任意の画像表示の割り当てを行なう動作がオン、オフのいずれになっているかがチェックされる。この動作は具体的には、開閉カウント回数の所定値Ｌに対応して特定の画像表示の割り当て動作を示す画像を表示部２２の画面の一部に表示し、これをクリックするかどうかで決められる。その画像がクリックされなければその動作はオフとされ、ステップＳ２７におけるチェック結果はオフ（ＯＦＦ）となり、次のステップＳ２８をスキップして、ステップＳ２に進む。ステップＳ２７におけるチェック結果がオン（ＯＮ）であれば、ステップＳ２８に進み、このステップＳ２８で開閉カウント回数の所定値Ｌに対応して任意の画像表示が特定の画像表示として割り当てられる。
【００４７】
ステップＳ３に続くステップＳ４１では、開閉回数カウント手段４４に対する開閉カウント回数のチェックが実行される。このチェック結果がＮ、Ｍ、Ｌ以外であれば、ステップＳ４２に至り、表示部２２に通常の待ち受け画面が表示される。この通常の待ち受け画面が表示された状態で、ステップＳ４３において、複数の操作キー１３のいずれかが操作されると、その操作された操作キー１３に対応する設定機能がステップＳ４４において呼び出される。ステップＳ４３において、特定キー１３ａが操作されると、それに対応して設定された特定機能ＳＦが選択され、ステップＳ４に至り、機能呼出動作が終了する。
【００４８】
ステップＳ３１におけるチェック結果が設定値Ｎ、Ｍ、Ｌのいずれかであれば、ステップＳ４５に進む。このステップＳ４５では、開閉カウント回数がＮであれば、筐体部１１、１２の開閉カウント回数Ｎに割り当てられた付加機能ＡＦＡが呼び出される。また開閉カウント回数ＮＣがＭであれば、開閉カウント回数Ｍに割り当てられた特定のソフトキーが呼び出される。このソフトキーは、表示部２２の画面上に表示され、それをクリックすることにより、開閉カウント回数Ｍに割り当てられた第２の付加機能ＡＦＢが実行される。さらに開閉カウント回数ＮＣがＬであれば、この開閉カウント回数Ｌに割り当てられた特定の画面表示が表示部２２において表示される。
【００４９】
この実施の形態３においても、実施の形態１と同様な効果が得られるが、加えて、開閉カウント回数Ｍに対応して、特定のソフトキーの呼出と、このソフトキーのクリックによる第２の付加機能ＡＦＢを実行することができ、実施の形態１に比較して、操作キー１３の数を増加させずに、さらに機能の拡張を行なうことができる。またこの特定のソフトキーは、第２の付加機能ＡＦＢを複数のソフトキーＡＦＢ１、ＡＦＢ２、・・・、ＡＦＢｎの中から選択することにより、変更できるので、さらに機能の充実を図ることができる。
【００５０】
また実施の形態３では、開閉カウント回数Ｌに対応して、特定の画像表示を行なうことができ、この特定の画像表示を用いて、操作キー１３の数を増加させることなく、さらに機能の拡張を図ることができる。またこの特定の画像表示は、複数の画像の中から選択することにより変更できるので、さらに機能の充実を図ることができる。
【００５１】
また実施の形態３では、開閉部分１２の所定開閉回数Ｎを、複数の操作キー１３に対応する設定機能と別の第１の付加機能ＡＦＡに対応付けし、またその所定開閉回数Ｍを、複数の操作キー１３に対応する設定機能と別の第２の付加機能ＡＦＢに対応付けているので、操作キー１３の数を増加させずに、携帯端末の機能をさらに拡張できる。
また、実施の形態３では、第１の付加機能ＡＦＡと第２の付加機能ＡＦＢの少なくとも一方を変更する変更手段を設けたので、これらの少なくとも一方の付加機能を変更し、さらに機能拡張を図ることができ、またその変更動作をオン、オフできるようにしたので、必要に応じて、それらの変更を行なうことができる。
【産業上の利用可能性】
【００５２】
この発明による携帯端末は、複数のキーを有する携帯電話機などに応用され、そのキーの数を増加させずに、その機能の拡張を図る。
【図面の簡単な説明】
【００５３】
【図１】この発明による携帯端末の実施の形態１を示す正面図。
【図２】実施の形態１の開閉状態を示す側面図で、（ａ）は閉合状態、（ｂ）は開放状態を示す。
【図３】実施の形態１の電気回路構成を示すブロック図。
【図４】実施の形態１による機能の設定、変更動作を示すフローチャート。
【図５】この発明による携帯端末の実施の形態３による機能の設定、変更動作を示すフローチャート。
【符号の説明】
【００５４】
１００  携帯端末、１０  筐体、１１  第１の筐体部、１２  第２の筐体部、
１３  複数のキー、１４  液晶表示板、２１  入力部、２２  表示部、
２３  送受信部、２４  アンテナ、２５  音声部、２６  マイク、
２７  スピーカ、２８  振動部、３１  プログラムメモリ部、
３２  データメモリ部、３３  外部機器・外部メモリ、
３５  開閉検知部、４０  制御部、４１  認識手段、４２  照合手段、
４３  変更手段、４４  開閉回数カウント手段。
【図１】
2005045517.tif 000003
【図２】
2005045517.tif 000004
【図３】
2005045517.tif 000005
【図４】
2005045517.tif 000006
【図５】
2005045517.tif 000007